(57)【要約】【課題】所謂ガイド層分離型の情報記録媒体が備える記録層へのデータ記録に要する処理時間を短縮する。【解決手段】光ディスク装置（１）は、層識別情報を記録層（１０１）から取得する層識別情報取得部（２２）と、層識別情報取得部（２２）が取得した層識別情報に基づいて、データを記録するために指定された指定層として判定された記録層（１０１）にデータを記録するデータ記録部（２６）と、を備えている。【選択図】図１
2014078289.tif 000002
【特許請求の範囲】
【請求項１】
データが記録されるトラックを備えていない記録層と、トラッキングを行うためのガイドトラックを備えたガイド層とを有する情報記録媒体に対して情報の記録を行う記録装置であって、
上記記録層を識別するための層識別情報を、当該記録層から取得する取得手段と、
上記取得手段が取得した上記層識別情報に基づいて、データを記録するために指定された指定層として判定された上記記録層にデータを記録する記録手段と、を備えていることを特徴とする記録装置。
【請求項２】
上記取得手段が取得した上記層識別情報に示された記録層が上記指定層であるか否かを判定する指定層判定手段をさらに備え、
上記記録手段は、上記指定層判定手段によって上記層識別情報が示す記録層が上記指定層であると判定された場合に、当該指定層としての上記記録層にデータを記録することを特徴とする請求項１に記載の記録装置。
【請求項３】
上記情報記録媒体の上記記録層は、情報を記録することが可能な記録可能領域を備えており、
上記取得手段は、上記記録可能領域に上記層識別情報が記録されている場合には、当該記録可能領域から当該層識別情報を取得することを特徴とする請求項１または２に記載の記録装置。
【請求項４】
上記記録可能領域には、上記記録層を管理するための管理情報を記録可能な管理情報記録領域に配置されており、
上記取得手段は、上記管理情報記録領域に上記層識別情報が記録されている場合には、当該管理情報記録領域から当該層識別情報を取得することを特徴とする請求項３に記載の記録装置。
【請求項５】
データが記録されるトラックを備えていない記録層と、トラッキングを行うためのガイドトラックを備えているガイド層とを有する情報記録媒体であって、
上記記録層は、情報を記録することが可能な記録可能領域を備え、
上記記録可能領域に、当該記録可能領域を有する記録層を識別するための層識別情報があらかじめ記録されていることを特徴とする情報記録媒体。
【請求項６】
上記記録可能領域には、上記記録層を管理するための管理情報を記録可能な管理情報記録領域が配置されており、
上記層識別情報は、上記管理情報記録領域に記録されていることを特徴とする請求項５に記載の情報記録媒体。
【請求項７】
上記記録層は、データを記録可能なユーザデータ記録領域を備え、
上記記録可能領域は、上記情報記録媒体に対して情報の記録を行う記録装置が当該記録を行うときの記録方向に対して、上記ユーザデータ記録領域よりも前方に配置されていることを特徴とする請求項５または６に記載の情報記録媒体。
【請求項８】
データが記録されるトラックを備えていない記録層と、トラッキングを行うためのガイドトラックを備えたガイド層とを有する情報記録媒体に対して情報の記録を行う記録装置の制御方法であって、
上記記録層を識別するための層識別情報を、当該記録層から取得する取得ステップと、
上記取得ステップにおいて取得した上記層識別情報に基づいて、データを記録するために指定された指定層として判定された上記記録層にデータを記録する記録ステップと、を含むことを特徴とする記録装置の制御方法。
【請求項９】
請求項１から４のいずれか１項に記載の記録装置を動作させるための制御プログラムであって、コンピュータを上記の各手段として機能させるための制御プログラム。
【請求項１０】
請求項９に記載の制御プログラムを記録したコンピュータ読み取り可能な記録媒体。
【発明の詳細な説明】
【技術分野】
【０００１】
本発明は、トラックを備えていない記録層と、トラッキングを行うためのガイドトラックを備えているガイド層とを有する情報記録媒体に対して情報の記録を行う記録装置などに関するものである。
【背景技術】
【０００２】
従来から、複数の記録層を備える光ディスクとしては、ガイド層と記録層とが分離しておらず一体となっている（すなわち、各記録層にガイドトラックが形成されている）光ディスク（ガイド層一体型の光ディスク）と、記録層とガイド層とが分離して別々に形成されている光ディスク（ガイド層分離型の光ディスク）とが存在する。
【０００３】
ガイド層一体型の光ディスクとしては、現在、ＢＤ、ＤＶＤ等が一般に普及している。例えば、ＢＤには、ガイドトラックを高速に変調させたウォブルで位置（アドレス）情報が記録されている。
【０００４】
一方、ガイド層分離型の光ディスクは、記録層にトラック（ピットまたはウォブルなど）が形成されないので、簡単な構造の記録層を積層した構造となる。このため、容易に製造することができる。また、一般に、ガイド層一体型の光ディスクでは、記録層の数が増えるほどガイドトラックの製造精度が厳密になるのに対して、ガイド層分離型の光ディスクは、記録層にトラックが形成されないので、記録層の多層化が容易であるという利点もある。
【０００５】
ガイド層一体型の光ディスク（通常記録媒体）には、各記録層を識別するための層情報が、当該記録層ごとに記録されている。すなわち、複数の記録層のそれぞれに何番目の記録層であるかを示すデータが記録されている。このような層情報が記録されたガイド層一体型の光ディスクの一例として、特許文献１が挙げられる。
【０００６】
特許文献１の光ディスクは、記録光を案内するトラックを各々有する多層構造の記録層を備えており、上記層情報（層番号）がピット（凹凸）で構成されるトラック上に記録されている。また、そのトラックは、ウォブルであってもよい。このように、ガイド層一体型の光ディスクでは、各記録層がウォブルのトラックに層情報（位置情報）が記録されているので、未記録領域であってもその層情報を再生することにより、現在アクセスしている記録層を把握することができる。また、記録済み領域では、記録データに層情報が記録されているため、現在アクセスしている記録層の層番号を取得することができる。
【先行技術文献】
【特許文献】
【０００７】
【特許文献１】特開２００４−３１１０２７号公報（２００４年１１月  ４日公開）
【発明の概要】
【発明が解決しようとする課題】
【０００８】
しかしながら、ガイド層分離型の光ディスクでは、各記録層にトラックが形成されていないゆえ、当該記録層を識別するための層情報をピットまたはウォブルで記録しておくことができなかった。すなわち、アクセスする記録層にデータが未記録の場合、ユーザデータ領域に層情報は存在しえなかった。それゆえ、ガイド層一体型の光ディスクの場合には、アクセスする記録層にデータが未記録の場合であってもその記録層を記録装置に識別（特定）させることができたが、ガイド層分離型の光ディスクの場合には、そのような記録層の識別を行うことができなかった。
【０００９】
また、従来のガイド層分離型の光ディスクでは、各記録層を識別可能とするために、各記録層の反射率を変え、記録装置がその反射率の違いを検出することにより各記録層を識別していた。しかしながら、評価機を用いた試作レベルではその識別を行うことが可能であるが、当該光ディスクが量産され、かつ、種々の記録装置において情報記録が行われることを想定した場合、当該識別を行うことは困難であった。
【００１０】
それゆえ、ガイド層分離型の光ディスクに情報の記録を行う記録装置では、所定の記録層にアクセスしたときに、正確にかつ短時間で、そのアクセスしている記録層の層位置を把握することが困難であった。また、その層位置の把握に時間を要してしまう可能性があるため、データの記録指示から光ディスクに対して実際に行われるデータの記録処理までの時間にも影響を及ぼす可能性があった。
【００１１】
本発明は、上記の問題を解決するためになされたもので、その目的は、所謂ガイド層分離型の情報記録媒体が備える記録層へのデータ記録に要する処理時間を短縮することが可能な記録装置などを提供することにある。
【課題を解決するための手段】
【００１２】
上記の課題を解決するために、本発明の一態様に係る記録装置は、
データが記録されるトラックを備えていない記録層と、トラッキングを行うためのガイドトラックを備えたガイド層とを有する情報記録媒体に対して情報の記録を行う記録装置であって、
上記記録層を識別するための層識別情報を、当該記録層から取得する取得手段と、
上記取得手段が取得した上記層識別情報に基づいて、データを記録するために指定された指定層として判定された上記記録層にデータを記録する記録手段と、を備えている構成である。
【００１３】
また、上記の課題を解決するために、本発明の一態様に係る記録装置の制御方法は、
データが記録されるトラックを備えていない記録層と、トラッキングを行うためのガイドトラックを備えたガイド層とを有する情報記録媒体に対して情報の記録を行う記録装置の制御方法であって、
上記記録層を識別するための層識別情報を、当該記録層から取得する取得ステップと、
上記取得ステップにおいて取得した上記層識別情報に基づいて、データを記録するために指定された指定層として判定された上記記録層にデータを記録する記録ステップと、を含む方法である。
【００１４】
さらに、上記の課題を解決するために、本発明の一態様に係る情報記録媒体は、
データが記録されるトラックを備えていない記録層と、トラッキングを行うためのガイドトラックを備えているガイド層とを有する情報記録媒体であって、
上記記録層は、情報を記録することが可能な記録可能領域を備え、
上記記録可能領域に、当該記録可能領域を有する記録層を識別するための層識別情報があらかじめ記録されている構成である。
【発明の効果】
【００１５】
本発明の一態様によれば、所謂ガイド層分離型の情報記録媒体が備える記録層の識別からデータ記録までの処理時間を短縮するという効果を奏する。
【図面の簡単な説明】
【００１６】
【図１】本発明の一実施形態に係る光ディスク装置が備える制御部の構成の一例を示す機能ブロック図である。
【図２】上記光ディスク装置の全体的な概略構成の一例を示す図である。
【図３】上記光ディスク装置によって少なくとも記録処理を行うことが可能な光ディスクの概略構成の一例を示す図である。
【図４】上記光ディスク装置における処理の一例を示すフローチャートである。
【図５】上記光ディスク装置によって少なくとも記録処理を行うことが可能な光ディスクの概略構成の一例を示す図である。
【図６】本発明の別の実施形態に係る光ディスク装置が備える制御部の構成の一例を示す機能ブロック図である。
【図７】上記光ディスク装置における処理の一例を示すフローチャートである。
【図８】本発明のさらに別の実施形態に係る光ディスクの概略構成の一例を示す図である。
【発明を実施するための形態】
【００１７】
〔実施の形態１〕
本発明の実施の一形態について図１〜図４に基づいて説明すれば、以下のとおりである。
【００１８】
＜光ディスク装置１の概略構成＞
まず、図２に基づき、本発明の一実施形態である光ディスク装置１（記録装置）の全体的な概略構成について説明する。図２は、光ディスク装置１の全体的な概要構成を示すブロック図である。
【００１９】
光ディスク装置１は、トラックを備えていないフラットな記録層１０１と、トラッキングを行うためのガイドトラックを備えているガイド層１０２とを有する光ディスク１００（情報記録媒体）（図３参照）に対して情報の記録または再生を行う。なお、本実施の形態では、少なくとも光ディスク１００に対して情報の記録処理を行うことができればよい。
【００２０】
なお、本実施形態に係る記録層は「トラックを備えていない」記録層であるが、これは、当該記録層にデータ記録用のトラック（データが記録されるトラック）が設けられていないことを意味する。
【００２１】
光ディスク装置１は、図２に示すように、主として、格納部３、ディスク装填認識部６、記録再生回路群１０、光ピックアップ１２および制御部２０を備えている。また、光ピックアップ２は光ヘッド１１を備えており、記録再生回路群１０は、主として、ピックアップ駆動回路１３、レーザ駆動回路１４および再生回路１５を備えている。
【００２２】
光ディスク装置１は、記録層１０１への情報記録時には、サーボ用のレーザ光の焦点位置をトラッキング制御によりガイド層１０２のガイドトラック上を移動させつつ、記録用のレーザ光を記録層１０１に対して集光させることにより情報を書き込む（記録する）。この処理を実現するために、制御部２０は、ピックアップ駆動回路１３を介して光ピックアップ１２を上記書き込み位置（記録部位）へと移動させ、光ピックアップ１２の光ヘッド１１から出力されるレーザ光の焦点位置および出力値を制御する。また、このとき、制御部２０はレーザ駆動回路１４を介して記録条件を設定する。
【００２３】
また、光ディスク装置１では、制御部２０がピックアップ駆動回路１３を介して光ピックアップ１２を光ディスク１００の記録部位へ移動させる。そして、制御部２０がレーザ駆動回路１４を介して再生条件を設定し、光ヘッド１１から再生用のレーザ光を光ディスク１００に照射するようになっている。
【００２４】
光ヘッド１１が検出した反射光は、再生回路１５にて再生信号に変換され、制御部２０に入力される。これにより、光ディスク装置１は、光ディスク１００の記録層１０１に記録された情報を再生するようになっている。
【００２５】
また、ディスク装填認識部６は、光ディスク１００の装填を検出するためのものであり、例えば、各種センサが例示できるが、光ディスク１００の装填を検出できるものであれば、どのようなセンサを用いてもよい。また、ディスク装填認識部６は、検出した結果を検出信号として制御部２０へ出力するようになっている。
【００２６】
なお、格納部３および制御部２０の具体的な構成については後述する。
【００２７】
＜光ディスク１００の構成＞
次に、図３に基づき、本発明の一実施形態に係る光ディスク装置１（図１参照）によって少なくとも記録処理を行うことが可能な光ディスク１００の概略構成について説明する。
【００２８】
図示のように、光ディスク１００は、記録層１０１とガイド層１０２とを備えた、いわゆるガイド層分離型の光ディスクである。図３では、記録層１０１は４層となっているが、これに限らず、単層からなっていても複数層からなっていてもよい。
【００２９】
記録層１０１は、種々のデータが記録可能な層であるが、データが記録されるトラックを備えていない。一方、ガイド層１０２は、トラッキングを行うためのガイドトラック（不図示）を備えている。より具体的には、ガイド層１０２には、位置（アドレス）情報を含むサーボ用情報がガイドトラックとして記録されている。
【００３０】
すなわち、光ディスク１００では、ガイド層１０２を設け、記録層１０１からトラック（ピットまたはウォブル）をなくすことにより、簡単な構造の記録層を積層させることが可能となる。それゆえ、ガイド層１０２を備えていない光ディスク（ガイド層一体型の光ディスク）に比べ、容易に光ディスク１００を製造することができる。また、ガイド層一体型の光ディスクでは、記録層の積層数が増えるほど、各記録層へのガイドトラックの製造精度が厳密になるが、光ディスク１００では、記録層１０１とは別にガイド層１０２が設けられているので、そのような厳密性が要求されない。それゆえ、光ディスク１００では、ガイド層一体型の光ディスクに比べ、記録層の多層化が容易となる。
【００３１】
また、記録層１０１は、情報記録媒体１００の内周側から、主として、ＢＣＡ（Burst Cutting Area）１０１ａ（再生専用領域）、インナーゾーン１０１ｂ（記録可能領域、管理情報記録領域）、ユーザデータ記録領域１０１ｃ（記録可能領域）、及びアウターゾーン１０１ｄ（記録可能領域、管理情報記録領域）で構成されている。
【００３２】
ＢＣＡ１０１ａは、情報の書き換え（書き込み）が不可能な領域であり、光ディスク１００の物理的な構造を識別するための識別情報（ディスク情報（Disk Information））が記録されている。識別情報の具体例としては、光ディスク１００が備える記録層のタイプ（追記型、書き換え型）、光ディスク１００のサイズ（総層数）、光ディスク１００のバージョン（速度等に関連）、サーボの極性、記録マークの極性および光ディスク１００固有の番号などが挙げられる。なお、これらの識別情報の記録順序（又は配置方法）は任意であってよく、通常、規格などによって決められている。
【００３３】
また、ＢＣＡ１０１ａには、記録層１０１を識別するための層識別情報があらかじめ記録されている。すなわち、ＢＣＡ１０１ａには、光ディスク１００の出荷前に層識別情報が記録されている。この層識別情報としては、層位置が識別可能な情報であればよく、例えばレーザ光入射側からの記録層の順序を示す層番号情報（例えばＬ０、Ｌ１、Ｌ２、…）であってもよい。この場合、層識別情報は、いわゆるＢＣＡコードとして記録されている。このように、ＢＣＡ１０１ａに層識別情報が記録されていることにより、従来のガイド層分離型の光ディスクとは異なり、データ記録すべき記録層（現在アクセスしている記録層、以降指定層とも称する）を正確にかつ短時間で識別することができる。なお、この指定層とは、例えば、データの記録指示を受けたときに当該記録を実行すべき層ともいえる。
【００３４】
なお、層識別情報から記録層の層位置を識別することが可能なように、光ディスク装置１には、当該層識別情報（層番号情報）と記録層との対応関係を示すデータが格納されている。そのため、光ディスク装置１は、層識別情報を読み出すことによって、層識別情報が示す記録層が、データ記録すべき記録層と一致するかを判定することができる。
【００３５】
また、層識別情報がＢＣＡ１０１ａ（すなわち、ユーザデータ記録領域１０１ｃ以外の箇所）に記録されているので、層識別情報を記録することに起因したユーザデータ記録領域１０１ｃの記録容量の低減を防ぐことができる。さらに、当該構成により、インナーゾーン１０１ｂに層識別情報が記録されていない状況であっても、ＢＣＡ１０１ａから層識別情報を取得することができる。また、ＢＣＡ１０１ａに層識別情報が記録されている場合、当該層識別情報が書き換えられることがない。それゆえ、光ディスク装置１において、層識別情報の書き換えに起因した指定層としての記録層１０１の誤認識を防ぐことができる。また、層識別情報の記録領域が、トラッキングを行うことなくデータの読み出しが可能な特定領域であれば、光ディスク装置１は、トラッキングを行うことなく層識別情報を取得することができる。それゆえ、層識別情報を短時間で取得することができる。
【００３６】
ここで、層識別情報の記録領域は、ＢＣＡ１０１ａに限らず、インナーゾーン１０１ｂおよびアウターゾーン１０１ｄであってもよい。すなわち、ユーザデータ記録領域１０１ｃ以外の非データ記録領域であれば、上記と同様、ユーザデータ記録領域１０１ｃの記録容量の低減を防ぐことができる。
【００３７】
一方、層識別情報の記録領域、すなわち上述の非データ記録領域および特定領域がＢＣＡ１０１ａである場合には、上述のように層識別情報をＢＣＡコードとして記録しておくことができる。すなわち、記録層１０１を形成後、その一部をレーザマーカーを用いて除去する手法、または、ネガパターンをマスクとし、このマスクを通してスパッタ法等を用いて記録層１０１を形成する手法によって、ＢＣＡ１０１ａに層識別情報を記録しておくことができる。それゆえ、層識別情報がＢＣＡ１０１ａに記録される場合、トラッキングが不要な領域に層識別情報を、上記既存の手法を用いて容易に記録しておくことができる。
【００３８】
なお、本実施の形態では、ＢＣＡ１０１ａに層識別情報があらかじめ記録されているが、インナーゾーン１０１ｂには層識別情報があらかじめ記録されておらず、光ディスク装置１によって層識別情報を書き込むことが可能な層識別情報記録領域１０１ｆを備えている構成について説明する。インナーゾーン１０１ｂにあらかじめ層識別情報が記録されている光ディスク１００ａの構成、および当該光ディスクに対する記録または再生処理を行う光ディスク装置１ａについては、実施の形態２において説明する。
【００３９】
インナーゾーン１０１ｂは、光ディスク１００においてＢＣＡ１０１ａの外周側に設けられた領域であり、記録層１０１のそれぞれを管理するための管理情報を記録可能な領域である。
【００４０】
インナーゾーン１０１ｂには、上記管理情報として、例えば、光ディスク１００への記録・再生の標準条件、各記録層１０１に対する光ディスク装置１のアクセスの許可不許可（アクセス制限）を示す情報、製造時の欠陥および使用中にできた欠陥の位置を示す情報、光ディスク上の位置（アドレス）を示す位置情報などが記録されている。なお、この欠陥の位置を示す情報は、インナーゾーン１０１ｂおよびアウターゾーン１０１ｄ内の欠陥管理領域に記録される。
【００４１】
なお、インナーゾーン１０１ｂ内の管理情報を記録しない一部の領域をユーザデータ記録に用いる構成であってもよい。それにより、ユーザデータ記録容量を増やすことが可能となる。
【００４２】
また、インナーゾーン１０１ｂには、ＯＰＣ実行領域１０１ｅおよび層識別情報記録領域１０１ｆが設けられている。
【００４３】
ＯＰＣ実行領域１０１ｅは、光ディスク装置１がＯＰＣ処理を実行するための領域であり、ＯＰＣ処理によって決定する、記録層１０１の記録条件を示す記録条件情報を記録することが可能な領域である。換言すれば、ＯＰＣ実行領域１０１ｅは、データの試し書きが実行されることにより、記録層１０１の記録条件を示す記録条件情報が記録される領域である。
【００４４】
層識別情報記録領域１０１ｆは、光ディスク装置１が、記録層１０１のそれぞれを識別するための層識別情報を記録することが可能な領域である。このように、層識別情報記録領域１０１ｆが設けられていることにより、当該領域に、当該領域を有する記録層１０１を示す層識別情報を記録することができる。そして、層識別情報を層識別情報記録領域１０１ｆから直接読み出すことができる。それゆえ、ＢＣＡ１０１ａに層識別情報が記録されているときと同様、当該記録層を正確にかつ短時間で識別することができる。また、当該領域に記録条件情報を層識別情報とともに記録してもよい。
【００４５】
また、層識別情報記録領域１０１ｆは、インナーゾーン１０１ｂに配置されている。すなわち、インナーゾーン１０１ｂは、ＢＣＡ１０１ａよりもユーザデータ記録領域１０１ｃに対して近い位置に設けられている。それゆえ、光ディスク装置１は、ユーザデータ記録領域１０１ｃに近いインナーゾーン１０１ｂから層識別情報を読み出すことが可能となるので、ＢＣＡ１０１ａから層識別情報を取得する場合に比べ、データ記録すべき記録層１０１の識別から、ユーザデータ記録領域１０１ｃへのデータ記録までの時間を短縮することができる。
【００４６】
また、図３では、層識別情報記録領域１０１ｆは、インナーゾーン１０１ｂの、ユーザデータ記録領域１０１ｃの近傍に備えられている。これにより、データ記録すべき記録層１０１の識別から、ユーザデータ記録領域１０１ｃへのデータの記録処理を開始するまでの時間、または、層識別情報を層識別情報記録領域１０１ｆに記録してから、上記記録処理を開始するまでの時間をさらに短縮することができる。
【００４７】
さらに、図３では、層識別情報記録領域１０１ｆは、インナーゾーン１０１ｂの、ＯＰＣ実行領域１０１ｅの近傍に備えられている。一般に、装置の電源投入後に記録層１０１に最初にデータ記録が行われる場合、または、ある記録層１０１から別の記録層１０１へとフォーカス移動され、当該別の記録層１０１にデータ記録が行われる場合、記録感度の違いや温度による記録条件への影響などを排除するため、当該データ記録が行われる記録層１０１に既にデータが記録されている場合であっても、当該記録層１０１に対するＯＰＣ処理が実行される。それゆえ、層識別情報記録領域１０１ｆの近傍にＯＰＣ実行領域１０１ｅが備えられていることにより、層識別情報記録領域１０１ｆに記録された層識別情報によって記録層１０１を確認した直後に、ＯＰＣ処理を実行することができる。すなわち、層識別情報を用いての記録層１０１の識別から、ＯＰＣ処理を開始するまでの時間を短縮することができる。また、上記構成により、層識別情報を層識別情報記録領域１０１ｆに記録してから、ＯＰＣ処理を開始するまでの時間を短縮することができる。
【００４８】
また、層識別情報記録領域１０１ｆは、光ディスク１００に対して光ディスク装置１が情報の記録を行うときの記録方向に対して、ユーザデータ記録領域１０１ｃよりも前方となるように配置されていることが好ましい。この場合、層識別情報の記録後、または、層識別情報が示す記録層１０１の確認後、当該記録層１０１のユーザデータ記録領域１０１ｃへ速やかにアクセスすることができ、当該領域へのデータ記録をスムースに行うことができる。
【００４９】
本実施の形態では、特に断りがない限り、ＯＰＣ実行領域１０１ｅおよび層識別情報記録領域１０１ｆが別々に設けられているものとして説明するが、これらが一体に設けられていてもよい。例えば、ＯＰＣ実行領域１０１ｅが層識別情報記録領域１０１ｆとして機能し、ＯＰＣ実行領域１０１ｅに層識別情報が記録される。この場合には、記録条件情報とともに層識別情報が記録、すなわち１つの情報（記録条件情報および層識別情報を含む層情報）として記録される。
【００５０】
換言すれば、上記の場合、光ディスク装置１によって決定された、記録層１０１の記録条件を示す記録条件情報は、層識別情報とともに層識別情報記録領域１０１ｆに記録される。これにより、ＯＰＣ処理が完了した後に、層識別情報の記録のためだけに記録処理を行う必要がないので、その後のデータの記録処理までにかかる時間を短縮することができる。
【００５１】
なお、インナーゾーン１０１ｂの特定領域に層識別情報記録領域１０１ｆを設けず、ＯＰＣ処理時に、記録条件情報とともに層識別情報が記録される場合には、上記のように層識別情報の記録のためだけに記録処理を行う必要がない。一方、層識別情報記録領域１０１ｆが設けられている場合には、ＯＰＣ実行領域１０１ｅに記録された記録データの中から層識別情報を検索する必要がないため、容易に層識別情報を取得することができる。
【００５２】
ユーザデータ記録領域１０１ｃは、インナーゾーン１０１ｂの外周側に設けられており、ソフトウェア、コンテンツ等の各種データを記録することが可能な領域である。
【００５３】
アウターゾーン１０１ｄは、ユーザデータ記録領域１０１ｃの外周側（光ディスク１００の最外周側）に設けられており、前述した欠陥の位置を示す情報などが記録されている。また、インナーゾーン１０１ｂと同様、アウターゾーン１０１ｄに、ＯＰＣ実行領域１０１ｅおよび層識別情報記録領域１０１ｆが設けられていてもよく、アウターゾーン１０１ｄが記録層１０１のそれぞれを管理するための管理情報を記録可能な領域として機能してもよい。
【００５４】
なお、本実施の形態では、光ディスク装置１の処理対象となる情報記録媒体として光ディスク１００を例に挙げて説明しているが、これに限らず、例えば仮想的な層を含むディスクであってもよい。例えば、データが記録可能なホログラフィック層と、層識別情報およびトラックの場所を含む管理情報（制御情報）が記録されたアルミニウム層とを備えているホログラムディスクであってもよい。この場合、光ディスク装置１は、アルミニウム層から層識別情報を含む管理情報を読み取ることにより、所定のホログラフィック層にデータを記録したり、データを読み取ったりすることができる。
【００５５】
＜制御部２０の構成＞
次に、図１に基づき、光ディスク装置１が備える制御部２０の概略構成について説明する。図１は、制御部２０の概略構成の一例を示す図である。なお、以下において、「アクセス」して「記録する」または「再生する」場合、当該処理を実行する部材は、記録再生回路群１０を制御することにより、レーザ光を、光ディスク１００の所定の記録または再生位置に所定の出力で照射できるように、光ヘッド１１を制御する。
【００５６】
制御部２０は、主として、記録判定部２１、層識別情報取得部２２（取得手段）、指定層判定部２３（指定層判定手段）、ＯＰＣ実行部２４、層識別情報記録部２５およびデータ記録部２６（記録手段）を備えている。制御部２０は、例えば制御プログラムを実行することにより、光ディスク装置１を構成する部材を制御するものである。制御部２０は、格納部３に格納されているプログラムを、例えばＲＡＭ（Random Access Memory）等で構成される一時記憶部（不図示）に読み出して実行することにより、ＯＰＣ処理、各種データ記録処理等の各種処理を行う。
【００５７】
記録判定部２１は、光ディスク１００が光ディスク装置１に挿入され、当該光ディスク１００の特定の記録層１０１へのデータ記録指示を受けた後に、当該特定の記録層１０１が有するユーザデータ記録領域１０１ｃにデータが記録されているか否かを判定するものである。記録判定部２１は、その判定結果を層識別情報取得部２２に送信する。なお、この記録判定部２１による判定手法は、通常のガイド層分離型の光ディスクに対して行われる判定手法と同様である。
【００５８】
層識別情報取得部２２は、上記判定結果を解析して、光ディスク１００のＢＣＡ１０１ａおよび層識別情報記録領域１０１ｆのいずれから層識別情報を取得するのかを決定し、当該決定した領域から層識別情報を取得するものである。
【００５９】
具体的には、記録判定部２１によって、光ディスク装置１が受け付けた記録指示に基づく、指定層と思われる記録層１０１のユーザデータ記録領域１０１ｃにデータが記録されていないと判定された場合には、層識別情報記録領域１０１ｆに層識別情報は記録されていない。そのため、層識別情報取得部２２は、ＢＣＡ１０１ａから層識別情報から層識別情報識別を取得する。
【００６０】
ここで、「指定層と思われる記録層１０１」とは、上記記録指示に含まれる所定の記録層（指定層）とみなされる記録層であり、各記録層１０１の反射率の相違などに基づき、上記記録指示が示す記録層であるとみなされた記録層である。また、上記記録指示には、光ディスク１００の初期化も含まれる。
【００６１】
一方、層識別情報取得部２２は、上記ユーザデータ記録領域１０１ｃにデータが記録されていると判定された場合には、層識別情報記録領域１０１ｆから層識別情報を取得する。これは、後述のように、ユーザデータ記録領域１０１ｃにデータが記録されていない場合には、層識別情報記録部２５によって、層識別情報記録領域１０１ｆに層識別情報が記録されているためである。
【００６２】
上述のように、層識別情報記録領域１０１ｆは、ＢＣＡ１０１ａよりもユーザデータ記録領域１０１ｃの近傍に配置されている。それゆえ、層識別情報記録領域１０１ｆから層識別情報を取得することにより、層識別情報を用いての記録層１０１の識別から、ユーザデータ記録領域１０１ｃへのデータ記録までの時間を短縮することができる。
【００６３】
指定層判定部２３は、層識別情報取得部２２で取得した層識別情報が示す記録層１０１が、記録指示が示す記録層１０１（データ記録すべき記録層１０１、データを記録するために指定された指定層）であるか否かを判定するものである。すなわち、指定層判定部２３は、現在アクセスしている記録層１０１（現在の層位置）が指定層と一致しているか否かを確認する。そして、その判定結果をＯＰＣ実行部２４に送信する。
【００６４】
ＯＰＣ実行部２４は、上記判定結果を解析し、上記層識別情報が示す記録層１０１が指定層であれば、当該指定層のＯＰＣ実行領域１０１ｅにアクセスする。そして、ＯＰＣ実行部２４は、指定層としての記録層１０１へデータ記録を行うことを可能とするために、記録光のパワー（記録パワー）を段階的に変更して試し書きを行い（すなわち、最適記録条件調整を行い）、その試し書きにより最適な記録パワーを記録条件として決定する。ＯＰＣ実行部２４は、決定した記録条件を記録条件情報（最適記録条件情報）として、ＯＰＣ実行領域１０１ｅに記録する。
【００６５】
すなわち、ＯＰＣ実行部２４は、層識別情報記録部２５が層識別情報を書き込む記録層の記録条件を決定し、その記録条件を示す記録条件情報として、ＯＰＣ実行領域１０１ｅに書き込むものである。
【００６６】
層識別情報記録部２５は、記録判定部２１によって、ユーザデータ記録領域１０１ｃにデータが未記録であると判定された場合に、層識別情報取得部２２がＢＣＡ１０１ａから取得した層識別情報を、当該ユーザデータ記録領域１０１ｃを有する記録層１０１（すなわち、指定層）のインナーゾーン１０１ｂに書き込む。上述のように、インナーゾーン１０１ｂは、ユーザデータ記録領域１０１ｃに隣接しているゆえ、指定層の識別から、ユーザデータ記録領域１０１ｃへのデータ記録までの時間を短縮することができる。
【００６７】
換言すれば、層識別情報記録部２５は、上記のように判定された場合に、指定層としての記録層１０１に、当該記録層１０１を識別するための層識別情報を書き込むものである。これにより、データ記録すべき記録層１０１を正確にかつ短時間で識別することができる。特に、次回以降のデータ記録時（図４のＳ１６）に速やかにアクセスすべき記録層１０１を把握することができるので、その後の再度のＯＰＣ処理およびユーザデータ記録領域１０１ｃへのデータ記録の各動作を迅速かつ容易に行うことができる。
【００６８】
層識別情報記録部２５は、インナーゾーン１０１ｂに層識別情報を記録すると、その記録が完了したことをデータ記録部２６に通知する。
【００６９】
また、層識別情報記録部２５は、上記ＯＰＣ実行部２４によって決定された記録条件情報を受信し、層識別情報を、記録条件情報とともに書き込んでもよい。これにより、光ディスク１００へのデータの試し書き時に（ＯＰＣ処理の実行中に）、記録条件情報とともに層識別情報を書き込むことができる。それゆえ、上述のように、ＯＰＣ処理が完了した後に、層識別情報の記録処理を行う必要がない。
【００７０】
この場合、層識別情報記録部２５は、層識別情報と記録条件情報とを含む１つの層情報として、ＯＰＣ実行領域１０１ｅとしても機能する層識別情報記録領域１０１ｆに書き込む。したがって、層識別情報を取得した段階で、記録条件情報も取得することができるので、再度のＯＰＣ処理の実行時に、当該記録条件情報が示す記録条件を最初の記録条件として利用することができる。そのため、ＯＰＣ処理時間の短縮することができる。
【００７１】
また、上記層情報には、上記層識別情報および記録条件情報以外にも、光ディスク装置１を示す装置固有情報（光ディスク装置１を識別するための識別名を示す情報）を含めてもよい。すなわち、層識別情報を記録するときに、最終的な記録データとして記録条件情報および装置固有情報を合わせて記録してもよい。また、この層情報として記録される記録データの種類については、特に指定はない。層識別情報等についても同様である。
【００７２】
また、ＯＰＣ実行領域１０１ｅが層識別情報記録領域１０１ｆとして機能してもよい。この場合、ＯＰＣ実行部２４が層識別情報記録部２５としての機能を有していてもよく、また、上記と同様、ＯＰＣ処理の実行中にＯＰＣ実行領域１０１ｅに層識別情報が記録されてもよい。
【００７３】
データ記録部２６は、上記通知を受けて、光ディスク１００が光ディスク装置１に挿入されたときに受けた記録指示に含まれるデータ（ユーザデータ）を記録するものである。データ記録部２６は、指定層と判定された記録層１０１のユーザデータ記録領域１０１ｃの所定の記録位置（記録開始位置）にアクセスし、上記データを記録する。
【００７４】
換言すれば、データ記録部２６は、層識別情報取得部２２が取得した層識別情報が示す記録層１０１が、指定層判定部２３によって指定層であると判定された場合に、当該指定層としての記録層１０１に上記データを記録するものである。
【００７５】
この構成によれば、光ディスク１００に記録されている層識別情報を取得し、当該層識別情報を用いて、アクセスしている記録層１０１が、記録指示に含まれる記録層１０１（指定層）であるかを判定することができる。さらに、データ記録部２６は、層識別情報取得部２２が取得した層識別情報に基づいて、上記指定層として判定された記録層１０１にデータを記録するものであるともいえる。
【００７６】
それゆえ、従来のガイド層分離型の光ディスクでは困難であった、光ディスク１００に記録されている層識別情報を用いての正確かつ短時間での指定層の判定を行った上で、当該指定層としての記録層１０１にデータの記録を行うことができる。つまり、指定層の判定を正確に行った上で、データの記録指示から実際のデータの記録までの処理時間を短縮することができる。すなわち、データ記録処理全般に要する処理時間を短縮することができる。
【００７７】
また、層識別情報取得部２２は、インナーゾーン１０１ｂ等の記録可能領域に配置された層識別情報記録領域１０１ｆに層識別情報が記録されている場合には、層識別情報記録領域１０１ｆから層識別情報を取得する構成である。この場合、管理情報、記録条件情報、コンテンツまたはソフトウェア等のデータが記録される領域の近傍から層識別情報を取得することができる。それゆえ、上記指定層の判定からデータ記録までの処理時間を短縮することができる。
【００７８】
特に、記録可能領域に配置されたインナーゾーン１０１ｂまたはアウターゾーン１０１ｄといった管理情報記録領域に記録されている層識別情報を取得する場合、ユーザデータ記録領域１０１ｃの記録容量を低減させることなく（すなわち、ユーザデータ記録領域１０１ｃの記録容量を担保した上で）、上記指定層の判定からデータ記録までの処理時間を短縮することができる。
【００７９】
また、格納部３は、制御部２０が実行する（１）各部の制御プログラム、（２）ＯＳプログラム、（３）アプリケーションプログラム、および、（４）これらプログラムを実行するときに読み出す各種データを記録するものである。制御部２０は、例えばＲＯＭ（Read Only Memory）フラッシュメモリなどの不揮発性の記憶装置によって構成されるものである。なお、上述した一時記憶部は、ＲＡＭなどの揮発性の記憶装置によって構成されているが、本実施の形態では、格納部３が一時記憶部の機能も備えているものとして説明する場合もある。
【００８０】
＜光ディスク装置１における処理の流れ＞
次に、図４に基づき、光ディスク装置１における処理の流れについて説明する。図４はその処理を示すフローチャートである。
【００８１】
図示のように、光ディスク装置１に光ディスク１００が挿入され（Ｓ１）、例えば操作部（不図示）を介して、所定の記録層１０１に対してデータを記録する旨の記録指示があったときに（Ｓ２）、記録判定部２１は、指定層と思われる記録層１０１のデータ記録領域１０１ｃにデータが記録されているか否かを判定する（Ｓ３）。
【００８２】
記録判定部２１によって、上記指定層と思われる記録層１０１のユーザデータ記録領域１０１ｃにデータが記録されていないと判定された場合には（Ｓ３でＹＥＳ、例えば初回記録時）、層識別情報取得部２２は、当該記録層１０１のＢＣＡ領域１０１ａへアクセスし（Ｓ４）、当該ＢＣＡ１０１ａから層識別情報を取得する（Ｓ５）。なお、記録判定部２１は、例えば、インナーゾーン１０１ｂに層識別情報が記録されているか否かを判定し、インナーゾーン１０１ｂに層識別情報が記録されていない場合に、「未記録」と判定してもよい。
【００８３】
指定層判定部２３は、層識別情報取得部２２が取得した層識別情報が示す記録層１０１が、指定層（記録指示に含まれる記録層１０１）と一致するか否かを判定する（Ｓ６）。指定層判定部２３によって指定層であると判定された場合には（Ｓ６でＹＥＳ）、ＯＰＣ実行部２４は、その指定層のＯＰＣ実行領域１０１ｅにアクセスし、ＯＰＣ処理を実行して、記録条件を決定する（Ｓ７）。また、このとき、ＯＰＣ実行部２４は、決定した記録条件を示す記録条件情報をＯＰＣ実行領域１０１ｅに記録する。
【００８４】
一方、上記層識別情報が示す記録層１０１が指定層ではないと判定された場合には（Ｓ６でＮＯ）、層識別情報取得部２２は、指定層と思われる記録層１０１を新たに選択し、その記録層１０１にアクセスする（Ｓ４）。例えば、その指定層と思われる記録層１０１は、現在アクセスしている記録層１０１の層識別情報から類推することによって選択される。この選択は、上記指定層と一致するまで行われる。
【００８５】
Ｓ７の処理後、層識別情報記録部２５は、上記指定層と判定された記録層１０１のインナーゾーン１０１ｂの層識別情報記録領域１０１ｆにアクセスし、上記層識別情報を記録データとして書き込む（Ｓ８）。層識別情報書込み終了後、データ記録部２６は、当該ユーザデータ記録領域１０１ｃの所定の記録位置にアクセスし（Ｓ９）、当該記録位置に、上記記録指示に含まれるデータを記録する（Ｓ１０）。
【００８６】
また、記録判定部２１において、ユーザデータ記録領域１０１ｃにデータが記録されていると判定された場合（Ｓ３でＮＯ、例えば次回以降の記録時（光ディスク１００を挿入したままの再記録時を含む））、層識別情報取得部２２は、当該記録層１０１のインナーゾーン１０１ｂへアクセスし（Ｓ１１）、当該インナーゾーン１０１ｂから層識別情報を取得する（Ｓ１２）。
【００８７】
指定層判定部２３は、層識別情報取得部２２が取得した層識別情報が示す記録層が、指定層と一致するか否かを判定する（Ｓ１３）。指定層判定部２３によって指定層であると判定された場合には（Ｓ１３でＹＥＳ）、Ｓ７と同様に、ＯＰＣ実行部２４がＯＰＣ処理を再実行し、記録条件を決定する（Ｓ１４）。一方、指定層ではないと判定された場合には（Ｓ１３でＮＯ）、Ｓ６でＮＯの場合と同様の処理が行われる。
【００８８】
Ｓ１４の処理後、データ記録部２６は、当該ユーザデータ記録領域１０１ｃの所定の記録位置にアクセスし（Ｓ１５）、当該記録位置に、上記記録指示に含まれるデータを記録する（Ｓ１６）。
【００８９】
以上のように、記録再生装置１では、層識別情報取得部２２が、記録層１０１から層識別情報を取得する。そして、指定層判定部２３によって、その取得した層識別情報が示す記録層１０１が、データを記録するために指定された指定層であるか否かが判定される。
【００９０】
具体的には、層識別情報がＢＣＡ１０１ａにのみ記録されている場合には、当該ＢＣＡ１０１ａから層識別情報を読み出して、アクセスしている記録層１０１が指定層であるか否かを確認する。これにより、従来のように反射率の相違により記録層の識別を行う場合に比べ、正確にかつ短時間で当該識別を行うことができる。
【００９１】
また、層識別情報がインナーゾーン１０１ｂの層識別情報記録領域１０１ｆに記録されている、すなわちＢＣＡ１０１ａ以外の領域に記録されている場合には、ＢＣＡ１０１ａにのみに記録されている構成に比べて、ユーザデータ記録領域１０１ｃにより近い領域に層識別情報が記録されている。それゆえ、層識別情報の取得位置からユーザデータ記録領域１０１ｃの所定の記録位置への移動距離が短くて済み、指定層の確認からデータ記録までの処理時間を短縮することができる。
【００９２】
さらに、記録再生装置１では、層識別情報をＢＣＡ１０１ａから取得した場合であっても、インナーゾーン１０１ｂの層識別情報記録領域１０１ｆから取得した場合であっても、指定層判定部２３によって層識別情報が示す記録層が指定層であると判定された場合には、データ記録部２６が、当該指定層としての記録層１０１にデータを記録する。上述したように、層識別情報を記録層１０１から取得することにより、上記の指定層の判別（記録層１０１の識別）を正確かつ短時間で行うことができるので、当該指定層の判定を正確に行った上で、データの記録指示を受けてから当該指定層へのＯＰＣ処理を行うまでの処理時間、ひいてはデータ記録までの処理時間を短縮することができる。
【００９３】
換言すれば、層識別情報取得部２２が記録層１０１から取得した層識別情報に基づいて、上記指定層として判定された記録層１０１にデータを記録する。すなわち、記録層１０１に記録されている層識別情報を直接読み出すことによって、記録層１０１が上記指定層であるか否かの判定と、当該指定層へのデータの記録とが行われる。それゆえ、指定層としての記録層１０１への正確なデータの記録を行うことができるとともに、データ記録処理全般に要する処理時間を短縮することができる。
【００９４】
なお、光ディスク１００を挿入したままの再記録時など、記録層１０１の記録条件が変化していない場合には、当該記録層１０１の層識別情報記録領域１０１ｆに記録された層識別情報を取得して、当該記録層１０１が指定層であるかを確認した後、ＯＰＣ処理を行わずに、ユーザデータ記録領域１０１ｃにデータを新たに記録することができる。
【００９５】
また、光ディスク１００のようなデータ記録可能なディスクでは、ユーザデータ記録領域に記録データとしてのユーザデータとともに、層識別情報を含むアドレスデータが記録される。この場合、光ディスク１００のユーザデータ記録領域１０１ｃにも、層識別情報が記録されていることになる。それゆえ、記録層１０１の記録条件が変化していない場合に、ユーザデータ記録領域１０１ｃから層識別情報を取得して、上記処理が行われてもよい。
【００９６】
〔実施の形態２〕
本発明の実施の一形態について図５〜図７に基づいて説明すれば、以下のとおりである。なお、実施の形態１と同様の部材に関しては、同じ符号を付し、その説明を適宜省略する。例えば、光ディスク装置１および１ａの概略構成は同じであるゆえ、その説明を省略する。
【００９７】
＜光ディスク１００ａの構成＞
まず、図５に基づき、本発明の一実施形態に係る光ディスク装置１ａ（記録装置）（図６参照）によって少なくとも記録処理を行うことが可能な光ディスク１００ａ（情報記録媒体）の概略構成について説明する。
【００９８】
光ディスク１００ａは、光ディスク１００と同様、いわゆるガイド分離型の光ディスクであり、光ディスク１００ａの各記録層１０１は、インナーゾーン１０１ｂ、ユーザデータ記録領域１０１ｃおよびアウターゾーン１０１ｄを含む、情報を記録することが可能な（書き込み可能な）記録可能領域を備えている。
【００９９】
また、光ディスク１００ａは、図５に示すように、ＢＣＡ領域１０１ａだけではなく、インナーゾーン１０１ｂ（具体的には、層識別情報記録領域１０１ｆ）にも層識別情報があらかじめ記録されている点で光ディスク１００とは異なる。すなわち、本実施の形態においては、ＢＣＡ１０１ａおよびインナーゾーン１０１ｂには、光ディスク１００ａの出荷前に層識別情報が記録されている。
【０１００】
層識別情報があらかじめ記録されている記録領域（層識別情報記録領域１０１ｆ）は、インナーゾーン１０１ｂに配置されていなくてもよく、アウターゾーン１０１ｄまたはユーザデータ記録領域１０１ｃの一部に配置されていてもよい。なお、実施の形態１でも述べたように、層識別情報の記録によるユーザデータ記録領域１０１ｃの記録容量の低減を回避することを考慮すれば、インナーゾーン１０１ｂまたはアウターゾーン１０１ｄに層識別情報が記録されていることが好ましい。
【０１０１】
このように、光ディスク１００ａでは、インナーゾーン１０１ｂ等の記録可能領域の一部に層識別情報があらかじめ記録されているので、層識別情報を記録層１０１から直接読み出すことができる。
【０１０２】
それゆえ、各記録層１０１に層識別情報を備えず、各記録層の反射率の相違によって記録層を識別する場合に比べ、光ディスク装置１ａが指定層の判定を正確にかつ短時間に行うことを可能にする。また、当該判定を正確かつ短時間で行うことが可能となるので、指定層の判定を正確に行った上で、データの記録指示を受けてから実際にデータを記録するまでの処理時間を短縮することを可能にする。
【０１０３】
さらに、光ディスク１０１ａでは、インナーゾーン１０１ｂの層識別情報記録領域１０１ｆに層識別情報があらかじめ記録されている。そのため、管理情報、記録条件情報およびコンテンツ等のデータが記録される領域（層識別情報記録領域１０１ｆ以外のインナーゾーン１０１ｂ内の領域、ユーザデータ記録領域１０１ｃ）の近傍から層識別情報を取得させることができる。それゆえ、光ディスク装置１ａにおいて、ＢＣＡ１０１ａから層識別情報を取得する場合に比べ、指定層の判定からデータの記録までの処理時間を短縮することを可能にする。
【０１０４】
また、層識別情報があらかじめ記録されている記録領域は、光ディスク１００ａに対して情報の記録を行う光ディスク装置１ａが当該記録を行うときの記録方向に対して、ユーザデータ記録領域１０１ｃよりも前方に配置されていることが好ましい。すなわち、上記記録方向が光ディスク１００ａの内周側から外周側にむかう方向に規定されていれば、上記記録領域がインナーゾーン１０１ｂに配置されていることが好ましい。一方、上記記録方向が光ディスク１００ａの外周側から内周側にむかう方向に規定されていれば、上記記録領域がアウターゾーン１０１ｄに配置されていることが好ましい。この構成によれば、上記記録方向に対して、層識別情報を取得する領域（ＯＰＣ処理を行う領域）の先にユーザデータ記録領域１０２ｃが配置されているので、層識別情報を用いての指定層の判定から、ユーザデータ記録領域１０１ｃへのデータ記録までの処理時間を短縮することを可能にする。
【０１０５】
特に、図５に示す光ディスク１００ａでは、インナーゾーン１０１ｂ（またはアウターゾーン１０１ｄ）といった管理情報記録領域に層識別情報が記録されているので、層識別情報が記録されていることに起因してユーザデータ記録領域１０１ｃの記録容量を低減させることがない。すなわち、ユーザデータ記録領域１０１ｃの記録容量を担保した上で、指定層の判定からデータ記録までの処理時間を短縮することを可能にする。
【０１０６】
また、実施の形態１では、ＢＣＡ１０１ａのみに層識別情報が記録されている場合（ユーザデータ記録領域１０１ｃにデータが未記録である場合）には、当該ＢＣＡ１０１ａを有する記録層１０１のインナーゾーン１０１ｂ（層識別情報記録領域１０１ｆ）へと層識別情報を書き込む。これは、その記録層１０１への次回のデータ記録時に、ＢＣＡ１０１ａよりもユーザデータ記録領域１０１ｃの近傍に存在するインナーゾーン１０１ｂから層識別情報を取得して、指定層の判定から当該データ記録までの処理時間を短縮することを可能にするためである。
【０１０７】
本実施の形態に係る光ディスク１００ａでは、インナーゾーン１０１ｂの層識別情報記録領域１０１ｆに、層識別情報があらかじめ記録されている。このため、実施の形態１のような層識別情報の書き込み処理、および当該書き込み処理の前提となる記録判定部２１の処理を行う必要がない。それゆえ、実施の形態１の場合に比べ、インナーゾーン１０１ｂから層識別情報を取得してデータ記録までの処理時間を短縮するための処理を軽減することができる（以下の光ディスク装置１ａの構成を参照）。
【０１０８】
＜光ディスク装置１ａの構成＞
次に、図６に基づき、本発明の別の実施形態である光ディスク装置１ａが備える制御部２０ａの概略構成について説明する。
【０１０９】
制御部２０ａは、層識別情報取得部２２、指定層判定部２３、ＯＰＣ実行部２４およびデータ記録部２６を備えている。すなわち、制御部２０ａは、記録判定部２１および層識別情報記録部２５を備えていない点で制御部２０の構成とは異なる。
【０１１０】
なお、制御部２０ａが備える各部材の機能については実施の形態１と同様であるので、具体的な説明については省略し、制御部２０ａが記録判定部２１等を備えていないことによる処理についてのみ説明する。
【０１１１】
層識別情報取得部２２は、光ディスク１００ａが光ディスク装置１に挿入され、当該光ディスク１００の特定の記録層１０１へのデータ記録指示を受けると、光ディスク１００ａ（または光ディスク１００）のＢＣＡ１０１ａおよび層識別情報記録領域１０１ｆのいずれから層識別情報を取得するのかを決定し、当該決定した領域から層識別情報を取得するものである。
【０１１２】
層識別情報取得部２２は、光ディスク１００ａのようにＢＣＡ１０１ａおよびインナーゾーン１０１ｂの層識別情報記録領域１０１ｆのいずれにも層識別情報が記録されている場合には、インナーゾーン１０１ｂから層識別情報を取得する。一方、光ディスク１００のように、層識別情報がＢＣＡ１０１ａには記録されているが、インナーゾーン１０１ｂの層識別情報記録領域１０１ｆには必ずしも記録されているとは限らない構成の場合、層識別情報がインナーゾーン１０１ｂに記録されていれば、インナーゾーン１０１ｂから層識別情報を取得する。一方、層識別情報がインナーゾーン１０１ｂに記録されていなければ、ＢＣＡ１０１ａの層識別情報を取得する。
【０１１３】
すなわち、層識別情報取得部２２は、インナーゾーン１０１ｂの層識別情報を優先的に取得する構成となっている。このように、ユーザデータ記録領域１０１ｃに近い位置に記録されている層識別情報を取得することにより、層識別情報を取得し、当該層識別情報を用いての指定層の判定から、ユーザデータ記録領域１０１ｃへのデータ記録までの処理時間を短縮することができる。
【０１１４】
なお、層識別情報取得部２２は、例えば、上記データ記録指示を受けた後に、各記録層１０１の層識別情報が記録されている位置を示す記録位置情報を読み出すことによって、各記録層１０１ａのどの領域に層識別情報が記録されているのかを判定する。光ディスク１００ａの場合、上記記録位置情報は、例えば、光ディスク１００ａ挿入後に最初に光ディスク１００ａに再生光が照射される領域（例えば、ガイド層１０２の最内周部、または、ガイド層１０２に隣接する記録層１０１のＢＣＡ１０１ａ）に記録されている。一方、光ディスク１００の場合であれば、インナーゾーン１０１ｂへの層識別情報の記録有無が変更となる可能性がある。そのためこの場合には、上記記録位置情報は、例えば、いずれかの記録層１０１が有する記録可能領域の一部領域（例えば、ガイド層１０２に隣接する記録層１０１のインナーゾーン１０１ｂの最内周部）に記録されている。
【０１１５】
ＯＰＣ実行部２４は、ＯＰＣ処理が完了すると、その完了通知をデータ記録部２６に送信する。データ記録部２６は、この完了通知を受けて、光ディスク１００ａ（または光ディスク１００）が光ディスク装置１ａに挿入されたときに受けた記録指示に含まれるデータ（ユーザデータ）を記録する。
【０１１６】
＜光ディスク装置１ａにおける処理の流れ＞
次に、図７に基づき、光ディスク装置１ａにおける処理の流れについて説明する。図７はその処理を示すフローチャートである。以下では、特に断りのない限り、光ディスク１００ａに対する処理を行うものとして説明する。
【０１１７】
図示のように、光ディスク装置１ａに光ディスク１００ａが挿入され（Ｓ２１）、例えば操作部（不図示）を介して、所定の記録層１０１に対してデータを記録する旨の記録指示があったときに（Ｓ２２）、層識別情報取得部２２は、上記記録位置情報を解析し、光ディスク１００ａのいずれの領域に層識別情報が記録されているかを確認する。
【０１１８】
ここでは、光ディスク１００ａが装填されているので、全ての記録層１０１のインナーゾーン１０１ｂに層識別情報が記録されている。そのため、層識別情報取得部２２は、各記録層１０１のインナーゾーン１０１ｂから層識別情報を取得する。
【０１１９】
層識別情報取得部２２は、上記の確認を完了すると、指定層と思われる記録層１０１のインナーゾーン１０１ｂへアクセスし（Ｓ２３）、当該インナーゾーン１０１ｂから層識別情報を取得する（Ｓ２４）。それ以降のＳ２５〜Ｓ２８の処理については、図４のＳ２５〜Ｓ２８の処理と同様であるため、その説明を省略する。
【０１２０】
このように、光ディスク装置１ａが光ディスク１００ａに対する処理を行うことにより、光ディスク装置１ａは、上記の＜光ディスク１００ａの構成＞欄で述べたような効果を奏する。
【０１２１】
すなわち、光ディスク装置１ａは、指定層の判定を正確にかつ短時間に行うことをできるとともに、データの記録指示を受けてから実際にデータを記録するまでの処理時間を短縮することができる。また、ＢＣＡ１０１ａから層識別情報を取得する場合に比べ、指定層の判定からデータの記録までの処理時間を短縮することができる。さらに、光ディスク装置１のように記録判定部２１および層識別情報記録部２５の処理を行わずとも、インナーゾーン１０１ｂから層識別情報を取得できるので、指定層へのデータ記録時の処理における処理負担を軽減できる。
【０１２２】
なお、光ディスク装置１ａの処理では、インナーゾーン１０１ｂから層識別情報を取得したときに上記処理時間を短縮することができるという効果を考慮しない場合、ＢＣＡ１０１ａから層識別情報を取得してもよい。
【０１２３】
また、上記記録位置情報が記録されていなくてもよく、例えば、光ディスク装置１ａにおいて、各記録層１０１のインナーゾーン１０１ｂから層識別情報を取得するような設定があらかじめなされていてもよい。この場合、指定層と思われる記録層１０１のインナーゾーン１０１ｂから層識別情報が取得できない場合に、ＢＣＡ１０１ａから層識別情報を取得する設定に切り替えるようにしてもよい。
【０１２４】
〔実施の形態３〕
本発明の実施の一形態について図８に基づいて説明すれば、以下のとおりである。なお、実施の形態１または２と同様の部材に関しては、同じ符号を付し、その説明を適宜省略する。
【０１２５】
＜光ディスク１００ｂの構成＞
図８に示すように、光ディスク１００ｂでは、インナーゾーン１０１ｂ（具体的には、層識別情報記録領域１０１ｆ）に層識別情報があらかじめ記録されているが、ＢＣＡ１０１ａには層識別情報があらかじめ記録されていない。すなわち、ＢＣＡ１０１ａではなくインナーゾーン１０１ｂに、光ディスク１００ｂの出荷前に層識別情報が記録されている。この点において、光ディスク１００ｂは、実施の形態１の光ディスク１００、実施の形態２の光ディスク１００ａとは異なる。
【０１２６】
層識別情報があらかじめ記録されている記録領域（層識別情報記録領域１０１ｆ）は、実施の形態２でも述べたように、インナーゾーン１０１ｂに配置されていなくてもよく、アウターゾーン１０１ｄまたはユーザデータ記録領域１０１ｃの一部に配置されていてもよい。
【０１２７】
この構成によれば、光ディスク１００ｂにおいても、光ディスク１００ａと同様、インナーゾーン１０１ｂ等の記録可能領域の一部に層識別情報があらかじめ記録されているので、層識別情報を記録層１０１から直接読み出すことができる。
【０１２８】
それゆえ、各記録層１０１に層識別情報を備えず、各記録層の反射率の相違によって記録層を識別する場合に比べ、光ディスク装置１ａが指定層の判定を正確にかつ短時間に行うことを可能にする。また、当該判定を正確かつ短時間で行うことが可能となるので、指定層の判定を正確に行った上で、データの記録指示を受けてから実際にデータを記録するまでの処理時間を短縮することを可能にする。
【０１２９】
その他、光ディスク１００ｂは、記録可能領域の一部（インナーゾーン１０１ｂまたはアウターゾーン１０１ｄ）に層識別情報があらかじめ記録されていることにより、実施の形態２で述べた種々の効果を奏することができる。
【０１３０】
また、光ディスク１００ｂでは、記録層１０１のうち、ガイド層１０２と隣接する記録層１０１（例えばその最内周側）のみにＢＣＡ１０１ａが配置されている。この点においても光ディスク１００および１００ａとは異なる。
【０１３１】
ここで、光ディスク１００ｂでは、ＢＣＡ１０１ａに層識別情報が記録されていないため、当該ＢＣＡ１０１ａの層識別情報を利用して、その出荷前にインナーゾーン１０１ｂに層識別情報に記録することができない。そのため、出荷前のインナーゾーン１０１ｂへの層識別情報の記録は、例えば、各記録層１０１の反射率の相違等によって各記録層１０１を識別する方法を用いることにより行われる。
【０１３２】
光ディスク１００ｂが備える記録層１０１の数が増加するに従って、各記録層１０１にＢＣＡ１０１ａを設け、当該ＢＣＡ１０１ａに情報を記録することは、技術的にも費用的にも困難性が増す可能性がある。上記方法を用いて出荷前のインナーゾーン１０１ｂに層識別情報を記録することによって、記録層１０１ごとにＢＣＡ１０１ａを設ける必要が必ずしもないので、出荷前の層識別情報の記録に際して上記困難性を回避することができる。すなわち、層識別情報取得の観点からはＢＣＡ１０１ａが全く設けられていなくてもよい。
【０１３３】
実際には、ＢＣＡ１０１ａには光ディスク１００ｂの識別情報（ディスク情報）が記録されているので、図８に示すように、記録層１０１のうちの少なくとも１層にＢＣＡ１０１ａが設けられている。なお、図８では、ＢＣＡ１０１ａが配置されている記録層１０１は、ガイド層１０２と隣接する記録層１０１となっているが、これに限らず、この記録層１０１とは異なる記録層１０１であってもよい。
【０１３４】
＜光ディスク１００ｂに対する処理＞
光ディスク１００ｂに対する層識別情報の取得処理からユーザデータ記録領域１０２ｃへの記録処理は、図７に示す処理（すなわち、光ディスク装置１ａにおける処理）と同様であるため、ここではその説明を省略する。光ディスク装置１ａは、光ディスク１００ｂに対しても処理を行うことができ、実施の形態２と同様の効果を奏することができる。
【０１３５】
〔まとめ〕
本発明の一態様に係る記録装置は、
データが記録されるトラックを備えていない記録層と、トラッキングを行うためのガイドトラックを備えたガイド層とを有する情報記録媒体に対して情報の記録を行う記録装置であって、
上記記録層を識別するための層識別情報を、当該記録層から取得する取得手段と、
上記取得手段が取得した上記層識別情報に基づいて、データを記録するために指定された指定層として判定された上記記録層にデータを記録する記録手段と、を備えている。
【０１３６】
また、本発明の一態様に係る記録装置の制御方法は、
データが記録されるトラックを備えていない記録層と、トラッキングを行うためのガイドトラックを備えたガイド層とを有する情報記録媒体に対して情報の記録を行う記録装置の制御方法であって、
上記記録層を識別するための層識別情報を、当該記録層から取得する取得ステップと、
上記取得ステップにおいて取得した上記層識別情報に基づいて、データを記録するために指定された指定層として判定された上記記録層にデータを記録する記録ステップと、を含んでいる。
【０１３７】
上記構成によれば、上記情報記録媒体から取得した層識別情報に基づいて、上記指定層として判定された記録層にデータを記録する。すなわち、記録層に記録されている層識別情報を直接読み出すことによって、記録層が上記指定層であるか否かの判定と、当該指定層へのデータの記録とが行われる。
【０１３８】
それゆえ、上記のような記録層とガイド層とを備える情報記録媒体において、記録層に層識別情報を備えず、記録層の反射率の相違によって、記録層（アクセスしている記録層）が上記指定層であるか否かの判定と、当該指定層へのデータの記録とを行う場合に比べ、正確にかつ短時間でこれらの処理を行うことができる。すなわち、データ記録処理全般に要する処理時間（データの記録までの処理時間）を短縮することができる。
【０１３９】
本発明の一態様に係る記録装置では、
上記取得手段が取得した上記層識別情報に示された記録層が上記指定層であるか否かを判定する指定層判定手段をさらに備え、
上記記録手段は、上記指定層判定手段によって上記層識別情報が示す記録層が上記指定層であると判定された場合に、当該指定層としての上記記録層にデータを記録することが好ましい。
【０１４０】
上記構成によれば、上記情報記録媒体から取得した層識別情報が示す記録層が指定層であると判定した場合に、当該指定層としての記録層にデータを記録する。すなわち、指定層であるか否かの判定を、記録層に記録されている層識別情報を用いて行った上で、当該指定層にデータの記録を行う。
【０１４１】
それゆえ、上記のような記録層とガイド層とを備える情報記録媒体において、記録層に層識別情報を備えず、記録層の反射率の相違によって記録層（アクセスしている記録層）を上記指定層として判定する場合に比べ、当該指定層を正確にかつ短時間で判定することができる。
【０１４２】
さらに、本発明の一態様に係る記録装置では、
上記情報記録媒体の上記記録層は、情報を記録することが可能な記録可能領域を備えており、
上記取得手段は、上記記録可能領域に上記層識別情報が記録されている場合には、当該記録可能領域から当該層識別情報を取得することが好ましい。
【０１４３】
上記構成によれば、記録層を管理するための管理情報、記録条件を示す情報、コンテンツまたはソフトウェア等のデータが記録される領域の近傍から層識別情報を取得することができる。それゆえ、データの記録までの処理時間を短縮することできる。
【０１４４】
さらに、本発明の一態様に係る記録装置では、
上記記録可能領域には、上記記録層を管理するための管理情報を記録可能な管理情報記録領域が配置されており、
上記取得手段は、上記管理情報記録領域に上記層識別情報が記録されている場合には、当該管理情報記録領域から当該層識別情報を取得することが好ましい。
【０１４５】
上記管理情報記録領域は、一般に、上記コンテンツ等のデータを記録可能な領域（上記実施の形態におけるユーザデータ記録領域１０１ｃ）の近傍に設けられている。それゆえ、情報記録媒体に層識別情報が記録されている場合であっても、上記コンテンツ等のデータを記録可能な領域の記録容量を低減させることがない。すなわち、コンテンツ等のデータ記録容量を担保した上で、データの記録までの処理時間を短縮することができる。
【０１４６】
さらに、上記管理情報記録領域が、ユーザがデータを書き込み可能な記録領域であることが好ましい。この構成によれば、例えば、規定に従った層識別情報でない、取得すべき位置に層識別情報が記録されていない等の理由により、情報記録媒体にあらかじめ記録されている層識別情報を適切に読み出せない場合に、管理情報記録領域に層識別情報を書き込むことが可能となる。それゆえ、層識別情報を確実に取得することができる。
【０１４７】
さらに、本発明の一態様に係る情報記録媒体では、
データが記録されるトラックを備えていない記録層と、トラッキングを行うためのガイドトラックを備えているガイド層とを有する情報記録媒体であって、
上記記録層は、情報を記録することが可能な記録可能領域を備え、
上記記録可能領域に、当該記録可能領域を有する記録層を識別するための層識別情報があらかじめ記録されている。
【０１４８】
上記構成によれば、記録層に層識別情報があらかじめ記録されているので、本発明の一態様に係る記録装置において、記録層から直接読み出すことを可能にする。
【０１４９】
それゆえ、上記のような記録層とガイド層とを備える情報記録媒体において、記録層に層識別情報を備えず、記録層の反射率の相違によって、記録層（アクセスしている記録層）が上記指定層であるか否かの判定と、当該指定層へのデータの記録とを行う場合に比べ、正確にかつ短時間でこれらの処理を行うことを可能にする。すなわち、データ記録処理全般に要する処理時間（データの記録までの処理時間）を短縮することを可能にする。
【０１５０】
また、上記構成によれば、記録可能領域に層識別情報が記録されているので、上記記録装置において、記録層を管理するための管理情報、記録条件を示す情報、コンテンツまたはソフトウェア等のデータを記録可能な領域の近傍から層識別情報を取得することができる。それゆえ、それ以外の領域（例えば、一般に情報記録媒体の最内周側に配置されている、情報の書き換えが不可能な再生専用領域）から取得させる場合に比べ、層識別情報に基づくデータ記録までの処理時間を短縮することを可能にする。
【０１５１】
したがって、本発明の一態様に係る情報記録媒体は、上記記録装置において、データ記録処理全般に要する処理時間（データの記録までの処理時間）を短縮することを可能にする。
【０１５２】
さらに、本発明の一態様に係る情報記録媒体では、
上記記録可能領域には、上記記録層を管理するための管理情報を記録可能な管理情報記録領域が配置されており、
上記層識別情報は、上記管理情報記録領域に記録されていることが好ましい。
【０１５３】
上記管理情報記録領域は、一般に、上記コンテンツ等のデータを記録可能な領域（上記実施の形態におけるユーザデータ記録領域１０１ｃ）の近傍に設けられている。それゆえ、層識別情報が記録されている場合であっても、上記コンテンツ等のデータを記録可能な領域の記録容量を低減させることがない。すなわち、コンテンツ等のデータ記録容量を担保した上で、データの記録までの処理時間を短縮することを可能にする。
【０１５４】
さらに、本発明の一態様に係る情報記録媒体では、
上記記録層は、データを記録可能なユーザデータ記録領域を備え、
上記記録可能領域は、上記情報記録媒体に対して情報の記録を行う記録装置が当該記録を行うときの記録方向に対して、上記ユーザデータ記録領域よりも前方に配置されていることが好ましい。
【０１５５】
上記構成によれば、層識別情報があらかじめ記録されている記録可能領域が、上記記録方向に対してユーザデータ記録領域よりも前方に配置されている。そのため、記録層（指定層）のユーザデータ記録領域へのデータ記録までの処理時間を短縮することを可能にする。
【０１５６】
さらに、上記記録装置を動作させる制御プログラムであって、コンピュータを上記の各手段として機能させるための制御プログラム、および当該制御プログラムを記録したコンピュータ読み取り可能な記録媒体も本発明の技術的範囲に含まれる。
【０１５７】
上記制御プログラムによれば、コンピュータで上記手段を実現することにより、コンピュータ上で記録装置を実現することができる。また、上記記録媒体によれば、記録媒体から読み出される制御プログラムを、汎用のコンピュータ上で実現することができる。
【０１５８】
（従来のガイド層分離型の光ディスクとの比較）
ここで、ガイド層分離型の光ディスクの各記録層はトラックがないフラットな記録層から構成されており、ピットまたはウォブルなどの溝が形成されていない。これはユーザデータ記録領域に限らず、例えばインナーゾーンも同様である。すなわち、従来のガイド層分離型の光ディスクにおいては、層識別情報を記録する手段がなかった。
【０１５９】
例えば、記録層に情報の書き換えが不可能なＲＯＭ領域を設ける構成も考えられるが、ＲＯＭ領域形成のための製造コストがかかってしまうとともに、ユーザデータ記録領域の記録領域を狭めることになってしまう。ガイド層分離型の光ディスクでは、トラッキングのために１層だけグルーブ層（ガイド層）を設け、記録層にグルーブを形成しないことにより、光ディスクの製造コストを大幅に削減することを目的としている。それゆえ、ガイド層分離型の光ディスクでは、上記のように製造コストの高いＲＯＭ領域を設けるといった大掛かりな構成の追加には否定的である。
【０１６０】
また、従来のガイド層分離型の光ディスクでは、各記録層を識別可能とするために、各記録層の反射率を変え、記録装置がその反射率の違いを検出することにより各記録層を識別していた。しかしながら、評価機を用いた試作レベルではその識別を行うことが可能であるが、当該光ディスクが量産され、かつ、種々の記録装置において情報記録が行われることを想定した場合、当該識別を行うことは困難となる。
【０１６１】
それゆえ、上記のように、本発明の一態様によれば、ガイド層分離型の光ディスク（光ディスク１００、１００ａ）では、各記録層１０１に層識別情報があらかじめ記録されているので、本発明の一態様に係る記録装置（光ディスク装置１、１ａ）において、記録層１０１（指定層）の正確でかつ短時間での判定および当該記録層１０１へのデータの記録を行うことが可能となる。一方、上記記録装置においては、上記指定層へのデータ記録までの処理時間を短縮することができる。
【０１６２】
〔ソフトウェアによる実現例〕
最後に、光ディスク装置１、１ａの各ブロック、特に制御部２０、２０ａの各部は、集積回路（ＩＣチップ）上に形成された論理回路によってハードウェア的に実現してもよいし、ＣＰＵ（Central Processing Unit）を用いてソフトウェア的に実現してもよい。
【０１６３】
後者の場合、光ディスク装置１、１ａは、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである光ディスク装置１、１ａの制御プログラムのプログラムコード（実行形式プログラム、中間コードプログラム、ソースプログラム）をコンピュータで読み取り可能に記録した記録媒体を、上記光ディスク装置１、１ａに供給し、そのコンピュータ（またはＣＰＵやＭＰＵ）が記録媒体に記録されているプログラムコードを読み出し実行することによっても、達成可能である。
【０１６４】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１６５】
また、光ディスク装置１、１ａを通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６６】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６７】
本発明は、所謂ガイド層分離型の情報記録媒体が備える記録層の識別からデータ書き込みまでの処理時間を短縮することができるので、層識別情報が記録されているガイド層分離型の光ディスク全般に好適に利用できる。
【符号の説明】
【０１６８】
１    光ディスク装置（記録装置）
１ａ  光ディスク装置（記録装置）
２２  層識別情報取得部（取得手段）
２３  指定層判定部（指定層判定手段）
２６  データ記録部（記録手段）
１００    光ディスク（情報記録媒体）
１００ａ  光ディスク（情報記録媒体）
１００ｂ  光ディスク（情報記録媒体）
１０１    記録層
１０１ｂ  インナーゾーン（記録可能領域、管理情報記録領域）
１０１ｃ  ユーザデータ記録領域（記録可能領域）
１０１ｄ  アウターゾーン（記録可能領域、管理情報記録領域）
１０２    ガイド層
【図１】
2014078289.tif 000003
【図２】
2014078289.tif 000004
【図３】
2014078289.tif 000005
【図４】
2014078289.tif 000006
【図５】
2014078289.tif 000007
【図６】
2014078289.tif 000008
【図７】
2014078289.tif 000009
【図８】
2014078289.tif 000010